(57)【要約】【課題】入力ミスが少なく、かつ、表示品質も良く、しかも扉の断熱性低下等を少なくできる冷蔵庫及び操作表示装置の提供。【解決手段】冷蔵庫本体の扉前面に当該扉の前面から発泡断熱材側に凹部を形成するように設けられた基板収納部１１と、前記基板収納部に設置した操作表示部１０とを備え、前記操作表示部の基板はＬＥＤ発光体を装備した表示基板１４と静電タッチセンサ２１を装備した操作基板１３を別基板として前記扉正面から見て奥行き方向にオーバーラップした積層配置とし、前記操作基板を前記化粧板１５に近接配置した構成としてある。これにより、入力ミスが少なく、かつ、表示品質も良く、しかも扉の断熱性低下等を少なくして省エネ等が実現できる。【選択図】図８
2014031959.tif 000002
【特許請求の範囲】
【請求項１】
冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記基板はＬＥＤ発光体を装備した表示基板と静電タッチセンサを装備した操作基板を別基板として前記扉正面から見て奥行き方向にオーバーラップした積層配置とし、かつ、前記操作基板を前記化粧板に近接配置したことを特徴とする冷蔵庫。
【請求項２】
表示基板と操作基板とを接続するリード線を備え、前記リード線を接続する操作基板のコネクタは前記操作基板の表示基板とオーバーラップしていない部分に設けた請求項１記載の冷蔵庫。
【請求項３】
操作基板は一端部側に静電タッチセンサを設けるとともに反対側端部に無線送受信用のアンテナを設け、このアンテナと静電タッチセンサとの間にリード線接続用のコネクタを配置したことを特徴とする請求項２記載の冷蔵庫。
【請求項４】
表記を有する化粧板、化粧板の背面に設けた基板、及び基板保持部からなり、前記基板はＬＥＤ発光体を装備した表示基板と静電タッチセンサを装備した操作基板を別基板として前記化粧板正面から見て奥行き方向にオーバーラップした積層配置とし、かつ、前記操作基板を前記化粧板に近接配置した操作表示装置。
【発明の詳細な説明】
【技術分野】
【０００１】
本発明は冷蔵庫及び操作表示装置に関するものである。
【背景技術】
【０００２】
一般に冷蔵庫の中には、扉正面に操作表示装置を設け、この操作表示装置の操作部を操作して例えば庫内設定温度を高中低のいずれかに切り替えることができるようにしたものが見られる。そしてこのような冷蔵庫の操作部には静電タッチスイッチが用いられていることが多く、操作部表面の汚れを一拭きで掃除できるように配慮してある（例えば、特許文献１参照）。
【０００３】
図１６は上記特許文献１の操作表示部を示し、扉正面板となるガラス板１０１の背面に表示部１０２とタッチ検出部１０３を備え、更に前記表示部１０２の背面にＬＥＤ発光部１０４を設け、これらタッチ検出部１０３とＬＥＤ発光部１０４を設けた基板１０５を基板ケース１０６で保持して構成してある。
【先行技術文献】
【特許文献】
【０００４】
【特許文献１】特開２０１１−５８７８７号公報
【発明の概要】
【発明が解決しようとする課題】
【０００５】
上記従来の構成によれば、ガラス板１０１に設けた操作部１０７にタッチすることによって、その背面に設けたタッチ検出部１０３がこれを検出して例えば庫内設定温度を変更するとともに、その変更内容をＬＥＤ発光体１０４の発光によって表示部１０２を介して知ることができる。
【０００６】
しかしながら、前記タッチ検出部１０３による操作とＬＥＤ発光部１０４による表示を併用すると、タッチ検出部１０３の感度ばらつきによる入力ミス、或いはＬＥＤ発光部１０４の指向性の強さによる表示品質の低下、といういずれか一方の問題を引き起こす課題があった。すなわち、前記タッチ検出部１０３は操作部１０７となるガラス板１０１との間に隙間が生じるとタッチ操作がうまく検出できず、入力ミスを引き起こす。一方、ＬＥＤ発光部１０４は光の指向性が強いため、表示部１０２となるガラス板１０１に密接した背面位置から照射すると、表示部１０２の表記全体を照らすことができず、スポット的な表示となって表示品質の悪いものとなってしまう。
【０００７】
したがって、タッチ検出部１０３及びＬＥＤ発光部１０４を装備した基板を表示部１０２及び操作部１０７となるガラス板１０１に近接配置すると、表示品質が低下し、逆に離して設けると入力ミスが生じやすくなる、のであった。
【０００８】
また、基板も操作部用と表示部用をあわせた面積が必要となって大型化し、そのためこの操作表示部の背面側に充填されている発泡断熱材１０８の厚みが薄くなる部分の面積が広くなって扉の断熱性が低下してしまう、という課題もあった。この扉の断熱性は消費電力に大きな影響を与え、ＬＥＤ発光部１０４を用いて消費電力を抑えたのにもかかわらず電力消費量が逆に多くなるというケースが発生する恐れがあった。
【０００９】
本発明はこのような点に鑑みてなしたもので、入力ミスが少なく、かつ、表示品質も良く、しかも扉の断熱性低下等を少なくできる冷蔵庫及び操作表示装置を提供するものであ
る。
【課題を解決するための手段】
【００１０】
本発明は上記目的を達成するため、冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記基板はＬＥＤ発光体を装備した表示基板と静電タッチセンサを装備した操作基板を別基板として前記扉正面から見て奥行き方向にオーバーラップした積層配置とし、かつ、前記操作基板を前記化粧板に近接配置した構成としてある。
【００１１】
これにより、操作基板は操作部となる化粧板に近接しているので、静電タッチセンサの感度は良好なものになって入力ミスを解消若しくは大幅に低減することができるとともに、表示基板は表示部となる化粧板から奥まったところに位置するので、指向性の強いＬＥＤ発光体であってもある程度の広さ、すなわち、表示部の表記全体を照らすことができ、従来のスポット照射表示に比べるとその表示品質は良好なものとすることができる。また、前記操作基板と表示基板は奥行き方向にオーバーラップしているので、それらの基板が扉に占める面積は小さなものとすることができ、その分扉の発泡断熱材が薄くなる部分の面積を少なくすることができて、扉断熱性を向上させ省エネを促進できる。
【発明の効果】
【００１２】
本発明は、入力ミスが少なく、かつ、表示品質も良く、しかも扉の断熱性低下等を少なくして省エネが実現できる冷蔵庫及び操作表示装置を提供することができる。
【図面の簡単な説明】
【００１３】
【図１】本発明の実施の形態１における冷蔵庫の外観正面図
【図２】同冷蔵庫の扉の操作表示部を分解して示す斜視図
【図３】同冷蔵庫の扉の操作表示部の断面図
【図４】同冷蔵庫の操作表示部の分解斜視図
【図５】同冷蔵庫の操作部の要部を示す拡大分解斜視図
【図６】同冷蔵庫の操作表示部の結線状態示す分解斜視図
【図７】同冷蔵庫の化粧板裏面、導光板、基板を示す分解斜視図
【図８】同冷蔵庫の操作表示部における静電タッチセンサ部分の拡大断面図
【図９】同図８のＡ−Ａ断面図
【図１０】同冷蔵庫における基板保持部に取り付けた基板の静電タッチセンサ部分を示す拡大正面図
【図１１】同冷蔵庫の化粧板の操作部部分を示す断面図
【図１２】同図１１のＢ−Ｂ断面図
【図１３】同冷蔵庫の操作表示におけるＬＥＤ発光体と導光板との関係を示す説明図
【図１４】同冷蔵庫の操作表示部における導光板の断面図
【図１５】同実施の形態２における冷蔵庫の外観斜視図
【図１６】従来の冷蔵庫における操作表示部の断面図
【発明を実施するための形態】
【００１４】
第１の発明は、冷蔵庫本体に設けられた貯蔵室と、前記貯蔵室の前面開口を開閉する扉と、前記扉内に充填された発泡断熱材と、前記扉の前面に当該扉の前面から前記発泡断熱材側に凹部を形成するように設けられた基板収納部と、前記基板収納部に設置した操作表示部とを備え、前記操作表示部は化粧板、基板、基板保持部からなり、前記基板はＬＥＤ発光体を装備した表示基板と静電タッチセンサを装備した操作基板を別基板として前記扉正面から見て奥行き方向にオーバーラップした積層配置とし、かつ、前記操作基板を前記
化粧板に近接配置した構成としてある。
【００１５】
これにより、操作基板は操作部となる化粧板に近接しているので、静電タッチセンサの感度は良好なものになって入力ミスを解消若しくは大幅に低減することができるとともに、表示基板は表示部となる化粧板から奥まったところに位置するので、指向性の強いＬＥＤ発光体であってもある程度の広さ、すなわち、表示部の表記全体を照らすことができ、従来のスポット照射表示に比べるとその表示品質は良好なものとすることができる。また、前記操作基板と表示基板は奥行き方向にオーバーラップしているので、それらの基板が扉に占める面積は小さなものとすることができ、その分扉の発泡断熱材が薄くなる部分の面積を少なくすることができて、扉断熱性を向上させ省エネを促進できる。
【００１６】
第２の発明は、第１の発明において、表示基板と操作基板とを接続するリード線を備え、前記リード線を接続する操作基板のコネクタは前記操作基板の表示基板とオーバーラップしない部分に設けた構成としてある。
【００１７】
これにより、表示基板は操作コネクタのコネクタ高さに関係なく操作基板に積層配置することができ、操作基板と表示基板との間の寸法を必要最小限としてその分扉断熱材の厚みを厚くすることができ、省エネ性を向上することができる。
【００１８】
第３の発明は、第２の発明において、操作基板は一端部側に静電タッチセンサを設けるとともに反対側端部に無線送受信用のアンテナを設け、このアンテナと静電タッチセンサとの間にリード線接続用のコネクタを配置した構成としてある。
【００１９】
これにより、影響を受けやすい静電タッチセンサとアンテナとを適切に離して設置すると同時にこれら両者の間のスペースを利用してコネクタを配置することができ、しかもアンテナはこのコネクタを利用して本体制御部等と接続できるので、操作基板の幅一杯の大きさに形成することができ、アンテナ感度も向上させることができる。
【００２０】
第４の発明は、表記を有する化粧板、化粧板の背面に設けた基板、及び基板保持部からなり、前記基板はＬＥＤ発光体を装備した表示基板と静電タッチセンサを装備した操作基板を別基板として前記化粧板正面から見て奥行き方向にオーバーラップした積層配置とし、かつ、前記操作基板を前記化粧板に近接配置した操作表示装置であり、第１の発明と同様、入力ミスを大幅に低減できるとともに表示品質も向上でき、しかも基板積層配置によって装置全体をコンパクト化できる。
【００２１】
以下、本発明の実施の形態について、図面を参照しながら説明する。なお、この実施の形態によって本発明が限定されるものではない。
【００２２】
（実施の形態１）
図１は本発明の実施の形態１における冷蔵庫の外観斜視図、図２は同冷蔵庫の扉の操作表示部を分解して示す斜視図、図３は同冷蔵庫の扉の操作表示部の断面図、図４は同冷蔵庫の操作表示部の分解斜視図、図５は同冷蔵庫の操作部の要部を示す拡大分解斜視図、図６は同冷蔵庫の操作表示部の結線状態示す分解斜視図、図７同冷蔵庫の化粧板裏面、導光板、基板を示す分解斜視図、図８は同冷蔵庫の操作表示部における静電タッチセンサ部分の拡大断面図、図９は同図８のＡ−Ａ断面図、図１０は同冷蔵庫における基板保持部に取り付けた基板の静電タッチセンサ部分を示す拡大正面図、図１１は同冷蔵庫の化粧板の操作部部分を示す断面図、図１２は同図１１のＢ−Ｂ断面図、図１３は同冷蔵庫の操作表示におけるＬＥＤ発光体と導光板との関係を示す説明図、図１４は同冷蔵庫の操作表示部における導光板の断面図である。
【００２３】
図１において、冷蔵庫本体１は、前方に開口する金属製の外箱と硬質樹脂製の内箱との間にウレタン等を充填発泡して形成してある。上記冷蔵庫本体１はその内部に貯蔵室２〜６が設けてある。この貯蔵室２〜６は、上部から、冷蔵室２、冷蔵室２の下に位置する切替室３及び切替室３に並設した製氷室４、切替室３及び製氷室４の下部に位置する冷凍室５、冷凍室５の下部に位置する野菜室６となっている。
【００２４】
また、前記冷蔵室２の前面は、例えば観音開き式の扉７，７により開閉自由に閉塞し、切替室３及び製氷室４と冷凍室５と野菜室６の前面部は引き出し式の扉８によって開閉自由に閉塞してあり、いずれの扉７、８も冷蔵庫本体１と同様硬質ウレタン等を充填発泡させた発泡断熱材９（図３参照）を有した断熱扉となっている。
【００２５】
ここで、上記各扉７、８のうち、観音開き式扉の右側の扉７には操作表示部１０が設けてあり、以下その構成を説明する。
【００２６】
図２〜図１４において、１１は前記扉７の前面に当該扉７の前面から前記発泡断熱材９側に凹部を形成するように設けた基板収納部で、扉７の長辺端部の上下に亘って設けてある。１２は上記基板収納部１１に設置した基板保持部で、図４、図５、図６、図８等から明らかなように前面側に操作部用の操作基板１３が、反対側面には表示部用の表示基板１４が取り付けてある。１５は前記基板保持部１２及び両基板１３，１４の前面を覆うように前記基板収納部１１に取り付けた化粧板で、例えば「パワー」「強」「中」「弱」「チルド」等を表記した表示部１６と「∧」「∨」「メニュー／決定」等を表記した操作部１７とが形成してある。
【００２７】
ここで、前記操作基板１３と表示基板１４は扉正面から見て奥行き方向にその長さ方向の一部がオーバーラップするように積層配置してある。そして、前記操作基板１３が化粧板１５の背面に近接するように設置してある。
【００２８】
また、前記表示基板１４には表示用のＬＥＤ発光体１８が前記化粧板１５の表示部１６の表記と対向するように複数上下方向に設けてある。このＬＥＤ発光体１８は表示基板１４が基板保持部１２の奥行き分だけ奥まったところに位置しているところから、前記化粧板１５の操作部表記との間には所定の寸法が確保されている。
【００２９】
一方、前記操作基板１３には静電タッチセンサ２１が組み込んである。この静電タッチセンサ２１は操作基板１３が化粧板１５の背面に近接位置しているので、化粧板１５の操作部１７表記に密接する形になる。
【００３０】
なお、この実施の形態では冷却能力のアップ及びダウン用及びメニュー／決定用の三つの静電タッチセンサ２１が組み込んであり、いずれも前記表示部１６と同様その表記を別のＬＥＤ発光体で照らすように構成してある。以下、その構成を説明する。
【００３１】
２２は上記各静電タッチセンサ２１に重合させて設けた導光板で、前記静電タッチセンサ２１の上辺と対向する如く操作基板１３に取り付けた操作表記用ＬＥＤ発光体２３からの光を受けて光り輝く。すなわち、各静電タッチセンサ２１がタッチ操作を検出すると、その静電タッチセンサ２１に対応した前記表示部１６のＬＥＤ発光体１８とともに操作表記用ＬＥＤ発光体２３が通電され、その光によって導光板２２が光り輝く。この光り輝く効果を高めるために前記導光板２２は、図１３、図１４に示すように操作表記用ＬＥＤ発光体２３と対向する一片には曲率の異なる円弧状凹部２２ａを、また後述する化粧板側面にはシボ加工２２ｂを施すとともに外周辺部分には傾斜面２２ｃが形成してある。
【００３２】
上記導光板２２と対向する化粧板１５の操作部１７内面部分には、図１１、図１２に示
すように導光板設置用凹所１５ａが形成してあり、その導光板設置用凹所１５ａの外周辺部分には前記導光板２２の傾斜面２２ｃと対応させて傾斜させることで導光板２２を隙間無く設置するとともに急激な板厚変化による化粧板１５のヒケ防止を図っている。
【００３３】
ここで、前記基板保持部１２には図５、図８等に示すように弾性力を有する基板押さえ部２６が一体形成してあり、前記操作基板１３を化粧板１５側に附勢して操作基板１３上の各静電タッチセンサ２１及びこれに重合設置した導光板２２を操作部１７に押し付けるように構成してある。特にこの実施の形態では、前記基板押さえ部２６は各静電タッチセンサ２１に対応させてそれぞれ設けることにより、各静電タッチセンサ２１を個々に化粧板１５の操作部１７に押し付けるようにしてある。
【００３４】
また、前記基板保持部１２には図５、図８等に示すように操作基板１３の上下端部と対応する部分に基板離脱防止ストッパー２７が形成してあり、この基板離脱防止ストッパー２７に操作基板１３の上下両端部をはめ込むことによって基板押さえ部２６の弾発力により操作基板１３が基板保持部１２から離脱するのを防止している。そして、基板離脱防止ストッパー２７の厚みは導光板２２の厚みより薄い寸法としてあるので、導光板２２と基板離脱防止ストッパー２７に対応する導光板設置用凹所１５ａの深さを同一とでき、段差の無い面としてある。
【００３５】
２８は前記操作基板１３と表示基板１４を接続するリード線（図６参照）で、静電タッチセンサ２１が感知した操作入力を表示基板１４に伝送して当該操作に対応した表記部分のＬＥＤ発光体１８を発光させるものである。また、２８ａは操作基板１３と本体制御部（図示せず）とを接続する制御リード線で、静電タッチセンサ２１が感知した操作入力を本体制御部に伝送して当該操作に対応した制御を行わせるものである。
【００３６】
２９は前記各リード線２８，２８ａを接続するコネクタで、前記操作基板１３の表示基板１４とオーバーラップしない部分に設けてある。そして、３０は前記操作基板１３に設けた無線送受信用のアンテナで、前記静電タッチセンサ２１とは反対側の端部に形成してあり、このアンテナ３０と静電タッチセンサ２１との間に前記コネクタ２９を位置させてある。
【００３７】
上記構成において、この冷蔵庫の操作表示部１０は、操作基板１３が操作部１７となる化粧板１５に近接しているので、操作部１７をタッチ操作したときの静電タッチセンサ２１の感度は良好なものになって入力ミスを解消若しくは大幅に低減することができる。
【００３８】
また、表示基板１４は表示部１６となる化粧板１５から奥まったところに位置するので、指向性の強いＬＥＤ発光体１８であってもある程度の広さ、すなわち、表示部１６の表記全体を照らすことができ、従来のスポット照射表示に比べるとその表示品質は良好なものとすることができる。
【００３９】
更にこの操作表示部１０は、前記操作基板１３と表示基板１４が奥行き方向にオーバーラップしているので、それらの基板１３，１４が扉７に占める面積は小さなものとすることができ、その分扉の発泡断熱材９が薄くなる部分の面積を少なくすることができて、扉断熱性を向上させることができる。この発泡断熱材９が薄くなる部分の面積を少なくして断熱効果を高めることは省エネ促進につながり、特にこの実施の形態のように操作表示部１０を扉端縁部に設けたものにあっては、当該扉端縁部が扉全体の中でも最も温度上昇しやすい場所であることから、発泡断熱材９が薄くなる部分の面積を少なくできるということは効果的である。
【００４０】
また、操作基板１３と表示基板１４を接続するリード線接続用のコネクタ２９を前記操
作基板１３の表示基板１４とオーバーラップしない部分に設けてあるから、表示基板１４はコネクタ２９のコネクタ高さに制約を受けることなく操作基板１３に積層配置することができる。よって、操作基板１３と表示基板１４との間の寸法を必要最小限としてその分扉の発泡断熱材９の厚みを厚くすることができ、省エネ性を向上することができる。
【００４１】
更に操作基板１３に設けたアンテナ３０は静電タッチセンサ２１とは反対側の端部に設けてあるから、これら両者の間のスペースを有効利用して前記コネクタ２９を配置することができる。しかも影響を受けやすく誤動作しやすい静電タッチセンサ２１はアンテナ３０から適切に離して設置することができ、誤動作等を防止できる。例えば上記アンテナ３０に携帯端末等を近づけて超近距離無線通信でデータのやり取りを行う際に、アンテナ３０に近づけた携帯端末を静電タッチセンサ２１が感知して誤動作するようなことがなくなる。そしてアンテナは前記コネクタ２９を利用して本体制御部等と接続できるので、操作基板１３のアンテナ形成部の一部に接続用リード線箔（図６の破線Ｘで示す）を形成する必要がなくなる。これによって、アンテナ３０は操作基板１３の横幅一杯の大きさに形成することができ、アンテナ感度を向上させることができる。
【００４２】
またこの実施の形態の操作表示部１０は、更に前記静電タッチセンサ２１を基板押さえ部２６によって常に化粧板１５の操作部１７側に押し付けているので、静電タッチセンサ２１、導光板２２、化粧板１５の操作部１７の間は隙間無く常に密接することになる。よって静電タッチセンサ２１は化粧板１５の操作部１７をタッチ操作されると、導光板２２を介してこれをより感度良く検出し、入力ミスは激減若しくは大幅に低減する。
【００４３】
特にこの実施の形態では上記基板押さえ部２６は各静電タッチセンサ２１に対応させてそれぞれに設けてあるから、各静電タッチセンサ２１を効率よく化粧板１５の操作部１７側に押し付けることができ、入力ミスの発生をより確実に防止することができる。
【００４４】
また、上記静電タッチセンサ２１を設けた操作基板１３は基板離脱防止ストッパー２７によって基板保持部１２に保持されているので、静電タッチセンサ２１を設けた操作基板１３と基板保持部１２とは基板押さえ部２６の弾発力に抗してユニット化することができ、操作表示部の組み立て過程において、静電タッチセンサ２１を設けた操作基板１３と基板保持部１２がバラバラになって組み立て性が低下するのを防止でき、生産性を向上することができる。
【００４５】
更にまた、この実施の形態では化粧板１５の操作部１７と静電タッチセンサ２１との間に導光板２２を介在させて、使用者が操作部１７にタッチすると、操作表記用ＬＥＤ発光体２３が発光して導光板２２全体が光り輝き、操作部１７に表記した表示を視認しやすくする。したがって、前記化粧板１５にスモークをかけて通常は操作部１７の表記を見えにくくして意匠性を向上させることができるとともに、子供が操作部を視認して引き起こすいたずら等も防止することができる。しかも、このように意匠性を向上させ、いたずら防止を図るべく化粧板１５にスモークを施していても、一度操作部１７にタッチすればその表記が見えるようになるので操作性も良好なものとすることができる。加えて、その表記は導光板２２全体が光り輝くので、指向性の強いＬＥＤ発光体を化粧板１５に近接配置していても表記全体を広範囲に照らすことができ、表示品質を向上させることができる。
【００４６】
特に上記導光板２２はその一片に円弧状凹部２２ａを設けて指向性の強い操作表記用ＬＥＤ発光体２３からの光を導光板２２全域に分散させ、かつ、外周辺部に設けた傾斜面２２ｃによって操作表記用ＬＥＤ発光体２３からの光を導光板２２内に屈折させて外部に漏れるのを低減するとともに、シボ加工によって操作部１７と対向する面で光を乱反射させることによって、その明るさを明るく均一化することができる。よって、操作表記用ＬＥＤ発光体２３を化粧板１５に近接配置し導光板２２の一片側に設置して当該一片側から照
射するようにしていても十分な明るさで操作部１７の表記を見やすくすることができる。
【００４７】
（実施の形態２）
図１５は実施の形態２における冷蔵庫の外観を示し、この実施の形態の各扉７，８はその前面をガラス板或いは透明な樹脂パネルのような透明板３１で形成し、この扉７の透明板３１の背面側に実施の形態１で説明した操作表示部１０を設け、この操作表示部１０と対向する部分に操作部１７と表示部１６を設けたものである。
【００４８】
この実施の形態によれば透明板３１の背面側に例えばヘアーライン等の着色層を施すことにより、当該着色層の色合いに深みを持たせて高級感を出すことができるとともに、透明板３１が化粧板を兼ねるので構成の簡素化を図ることもできる。
【００４９】
なお、本発明は冷蔵庫に適用した操作表示装置を例にして説明したが、この操作表示装置は冷蔵庫に限らず各種の機器に適用できるものであり、その場合、上記実施の形態で説明した操作表示装置は機器本体や本実施の形態と同様扉或いはリモコン等、種々のものに設けることができる。
【産業上の利用可能性】
【００５０】
以上のように本発明は、入力ミスが少なく、かつ、表示品質も良く、しかも扉の断熱性低下等を少なくして省エネが実現できる冷蔵庫及び操作表示装置を提供することができ、一般用はもちろん業務用の冷蔵庫および家電機器や事務機器、電子機器等多くの機器に幅広く適用できる。
【符号の説明】
【００５１】
１  冷蔵庫本体
２  冷蔵室（貯蔵室）
３  切替室
４  製氷室
５  冷凍室
６  野菜室
７，８  扉
９  発泡断熱材
１０  操作表示部
１１  基板収納部
１２  基板保持部
１３  操作基板
１４  表示基板
１５  化粧板
１５ａ  導光板設置用凹所
１６  表示部
１７  操作部
１８  ＬＥＤ発光体
２１  静電タッチセンサ
２２  導光板
２２ａ  円弧状凹部
２２ｂ  シボ加工
２２ｃ  傾斜面
２３  操作表記用ＬＥＤ発光体
２６  基板押さえ部
２７  基板離脱防止ストッパー
２８  リード線
２９  コネクタ
３０  アンテナ
３１  透明板
【図１】
2014031959.tif 000003
【図２】
2014031959.tif 000004
【図３】
2014031959.tif 000005
【図４】
2014031959.tif 000006
【図５】
2014031959.tif 000007
【図６】
2014031959.tif 000008
【図７】
2014031959.tif 000009
【図８】
2014031959.tif 000010
【図９】
2014031959.tif 000011
【図１０】
2014031959.tif 000012
【図１１】
2014031959.tif 000013
【図１２】
2014031959.tif 000014
【図１３】
2014031959.tif 000015
【図１４】
2014031959.tif 000016
【図１５】
2014031959.tif 000017
【図１６】
2014031959.tif 000018